(57)【要約】      （修正有）【課題】打感と打球方向性の両方を向上したゴルフクラブシャフトを提供する。【解決手段】繊維強化樹脂２からなるシャフト１の長手方向の少なくとも一部に、金属繊維４の編組からなる振動減衰層３を設けるようにしたので、編組組織によりたわみ方向とねじり方向の両方の振動減衰を大きくすることができるので、従来よりも打感を向上することができる。また、編組組織としたことで、シャフトにおける金属量の分布が均一となるので、シャフトの異方性を低減することができるため、打球方向性を向上することができる。【選択図】図２
2009261473.tif 000002
【特許請求の範囲】
【請求項１】
繊維強化樹脂の筒状体からなるゴルフクラブシャフトにおいて、
前記ゴルフクラブシャフトの長手方向の少なくとも一部に、金属繊維の編組からなる振動減衰層を設けたゴルフクラブシャフト。
【請求項２】
前記金属繊維が前記ゴルフクラブシャフトの軸方向となす角度を３０〜６０°にした請求項１に記載のゴルフクラブシャフト。
【請求項３】
前記金属繊維の太さが０．１〜０．４ｍｍである請求項１又は２に記載のゴルフクラブシャフト。
【請求項４】
前記金属繊維が、チタン、チタン合金又はスチールからなる請求項１〜３のいずれかに記載のゴルフクラブシャフト。
【請求項５】
前記繊維強化樹脂の補強繊維をブレード構成にした請求項１〜４のいずれかに記載のゴルフクラブシャフト。
【請求項６】
前記振動減衰層が少なくとも前記ゴルフクラブシャフトの最外層に配置されるようにした請求項１〜５のいずれかに記載のゴルフクラブシャフト。
【発明の詳細な説明】
【技術分野】
【０００１】
本発明はゴルフクラブシャフトに関し、更に詳しくは、打感と打球方向性の両方を向上したゴルフクラブシャフトに関する。
【背景技術】
【０００２】
ゴルフプレーにおいては、ボールを打撃した際にゴルフクラブシャフト（以下、単に「シャフト」という。）に発生する振動が大きいと、ゴルファーの手に痺れが発生したり違和感が残ったりするため、そのようなシャフトを備えたゴルフクラブは、打感が悪いとして好まれない傾向がある。このシャフトに発生する振動には、スイングでシャフトがしなることによるたわみ方向の振動と、ボールを打撃する際のヘッドの回転によるねじり方向の振動の２つがあることが知られている。
【０００３】
シャフトの種類としては、金属製シャフトと繊維強化樹脂製シャフトの２つがある。一般に、たわみ方向の振動については繊維強化樹脂製シャフトが、ねじり方向の振動については金属製シャフトが、それぞれ優れた減衰特性を有している。そのため、特許文献１や特許文献２のように、繊維強化樹脂層と金属箔とを積層させて両者を組み合わせることにより、たわみ方向又はねじり方向のいずれか一方の振動減衰を大きくして、打感を向上させることが提案させている。
【０００４】
しかしながら、上記特許文献１や特許文献２のシャフトでは、たわみ方向とねじり方向の両方の振動減衰を共に大きくすることはできないため、打感を更に向上させることは困難であった。また、金属箔を繊維強化樹脂層に巻き付けるようにして積層しているため、金属箔の重ね代や継ぎ目によりシャフトの異方性が大きくなって、打球方向性が低下するという問題もあった。
【特許文献１】特開２００５−１６８７８５号公報
【特許文献２】特許３９１３２９２号公報
【発明の開示】
【発明が解決しようとする課題】
【０００５】
本発明の目的は、打感と打球方向性の両方を向上したゴルフクラブシャフトを提供することにある。
【課題を解決するための手段】
【０００６】
上記の目的を達成する本発明のゴルフクラブシャフトは、繊維強化樹脂の筒状体からなるゴルフクラブシャフトにおいて、前記ゴルフクラブシャフトの長手方向の少なくとも一部に、金属繊維の編組からなる振動減衰層を設けたことを特徴とするものである。
【０００７】
金属繊維がゴルフクラブシャフトの軸方向となす角度は３０〜６０°とし、その太さは０．１〜０．４ｍｍとするのがよい。この金属繊維は、チタン、チタン合金又はスチールからなることが望ましい。
【０００８】
また、繊維強化樹脂の補強繊維はブレード構成とすることが望ましい。
【０００９】
振動減衰層は、少なくともゴルフクラブシャフトの最外層に配置されるようにすることが望ましい。
【発明の効果】
【００１０】
本発明のゴルフクラブシャフトによれば、繊維強化樹脂からなるシャフトの長手方向の少なくとも一部に、金属繊維の編組からなる振動減衰層を設けるようにしたので、編組組織によりたわみ方向とねじり方向の両方の振動減衰を大きくすることができるので、従来よりも打感を向上することができる。また、編組組織としたことで、シャフトにおける金属量の分布が均一となるので、シャフトの異方性を低減することができるため、打球方向性を向上することができる。
【発明を実施するための最良の形態】
【００１１】
以下に、本発明の実施の形態について、図面を参照して説明する。
【００１２】
図１は、本発明の実施形態からなるゴルフクラブシャフトの例の断面を示す。
【００１３】
このゴルフクラブシャフト（以下、単に「シャフト」という。）１は、繊維強化樹脂層２と振動減衰層３とを、筒状に複数積層して構成されている。
【００１４】
繊維強化樹脂層２は、補強繊維に樹脂を含浸させたプリプレグを、マンドレルの回りに巻き付けて加熱硬化することにより形成される。補強繊維には、炭素繊維、芳香族ポリアミド繊維、ガラス繊維、ボロン繊維若しくはアルミナ繊維、又はそれらを組み合わせた複合繊維などが用いられるが、比強度及び比弾性率に優れた炭素繊維を用いることが好ましい。また、樹脂としては、エポキシ樹脂、不飽和ポリエステル樹脂及びポリウレタン樹脂などの熱硬化性樹脂が用いられる。
【００１５】
このようなシャフトにおいて、振動減衰層３は金属繊維の編組から構成されている。この振動減衰層３は、シャフト１の長手方向の全長にわたって設けることが好ましいが、一部に設けるようにしてもよく、その場合には長手方向に複数に分けるようにしてもよい。
【００１６】
このように、繊維強化樹脂２からなるシャフト１の長手方向の少なくとも一部に、金属繊維の編組からなる振動減衰層３を設けるようにしたので、編組組織によりたわみ方向とねじり方向の両方の振動減衰を大きくすることができるので、従来よりも打感を向上することができる。また、編組組織としたことで、シャフト１における金属量の分布が均一となるので、シャフト１の異方性を低減することができるため、打球方向性を向上することができる。更に、金属繊維の編組とすることで、従来の金属箔を用いたシャフト１に比べて効率的にねじりにくくすることができ、かつシャフト１を軽量化することができる。
【００１７】
図２に示すように、金属繊維４がシャフト１の軸方向（中心軸Ｃ）となす角度αは、３０〜６０°となるようにすることが望ましい。このようにすることで、一定の大きさのねじり剛性を確保することができるため、ボールの打撃時におけるヘッドの回転を抑えて、ねじり方向の振動の発生を抑えると共に、打球方向性をより向上することができる。
【００１８】
金属繊維４としては、チタン、チタン合金又はスチールからなる太さが０．１〜０．４ｍｍの細線を用いることが望ましい。太さが０．１ｍｍ未満であると編組の際に金属繊維４が切れやすくなり、０．４ｍｍ超であると重量増加が過大となる。なお、繊維強化樹脂層２との接着性をよくするために、あらかじめ金属繊維４を真鍮や亜鉛により被覆するようにしてもよい。
【００１９】
プリプレグの巻き付け方法については、繊維強化樹脂量の分布を一定にして、シャフト１における異方性を更に低減する上から、図３に示すように、２本の糸状プリプレグ５ａ、５ｂをマンドレル６の軸方向に向けて交互に網目状に巻き付けるブレーディング法を用いることが望ましい。
【００２０】
本発明のシャフト１においては、振動減衰層３がシャフト１の最外層に現れるようにするのがよい。このようにすることで、金属繊維４の有する金属光沢が目視できるようになり、顕著性のある意匠として人目を惹き、購買力を促進することが期待できる。
【実施例】
【００２１】
基本断面構造を図１とし、繊維強化樹脂の巻き方と金属繊維の材質を表１のように異ならせた本発明シャフト（実施例１〜３）、及び従来のスチール製シャフト（比較例１）並びに炭素繊維を強化繊維とする繊維強化樹脂製シャフト（比較例２、３）を製作し、これら６種類のシャフトについて、以下の試験方法によりたわみ方向及びねじり方向の振動減衰特性、並びに異方性を測定して、その結果を表１に示した。評価は、比較例１のシャフトにおける測定値を１００とする指数で示した。指数値が大きいほど、各測定項目において優れていることを示す。
【００２２】
[たわみ方向及びねじり方向の振動減衰特性]
図４に示すように、各シャフトに同一のヘッド及びグリップを取り付け、シャフト１のヘッド側端部から７０ｍｍの位置に三軸加速度ピックアップ計７を取り付けると共に、シャフト１のヘッド側端部から固定治具８までの距離Ｌが各シャフト間で等しくなるようにシャフト１のバット側を固定した状態で、たわみ方向Ｂ又はねじれ方向Ｔに初期振動を加えて、三軸加速度ピックアップ計７からの出力信号をチャージアンプを通じてＦＦＴアナライザで処理した結果からそれぞれの方向における振動減衰率を解析した。
【００２３】
[異方性]
各シャフトに同一のグリップを取り付け、グリップ端から１７８ｍｍ（７インチ）までの範囲を固定し、チップ側端部に錘を固定して上方へ５〜８ｃｍ引き上げてから静かに手を離したときの振動数［ｃｐｍ］を、藤倉ゴム株式会社製のクラブタイミングハーモナイザーを用いて測定した。振動数の測定は、１本のシャフトを周方向に３０°ずつ回転させるごとに行い、それら６つの測定値のバラツキから異方性を評価した。
【００２４】
更に、上記６種類のシャフトに、それぞれ同一のグリップとヘッドを取り付けてゴルフクラブを構成し、ハンディキャップが１０以下の２０名のゴルファーによる官能試験で、打感と打球方向性を評価して、その結果を表１に示した。評価は、比較例１のシャフトを備えたゴルフクラブにおける測定値を１００とする指数で示した。指数値が大きいほど、打感及び打球方向性に優れていることを示す。
【００２５】
【表１】
2009261473.tif 000003
【００２６】
表１に示す実験結果から、本発明のシャフトはいずれも比較シャフトに比べて振動減衰特性に優れており、かつ異方性が小さいことが分かる。また、その結果として、本発明のシャフトを備えたゴルフクラブは、打感及び方向性に優れていることが分かる。
【図面の簡単な説明】
【００２７】
【図１】本発明の実施形態からなるゴルフクラブシャフトの径方向の断面図である。
【図２】本発明の実施形態からなるゴルフクラブシャフトの構造を示す斜視図である。
【図３】ブレーディング法の説明図である。
【図４】シャフトの振動減衰特性の測定方法を説明する説明図である。
【符号の説明】
【００２８】
１  ゴルフクラブシャフト
２  繊維強化樹脂層
３  振動減衰層
４  金属繊維
５ａ、５ｂ  糸状プリプレグ
６  マンドレル
７  三軸加速度ピックアップ計
８  固定治具
【図１】
2009261473.tif 000004
【図２】
2009261473.tif 000005
【図３】
2009261473.tif 000006
【図４】
2009261473.tif 000007